(57)【特許請求の範囲】
【請求項１】
導電体に接している絶縁体上に固着される平面状のアンテナであって、
透明のフィルム上に形成された線状の矩形のループエレメントと、
該ループエレメントの短辺の一つから次第に幅が狭くされるテーパ部が延伸され、該テーパ部に続く平行２線が前記導体上へ取り付けられている給電手段に導入される給電部を備え、
前記テーパ部により前記給電手段に向かって前記給電部の幅が狭くなり、前記テーパ部に続く幅が狭くされた前記平行２線が前記給電手段に導入されていることを特徴とするアンテナ。
【請求項２】
前記アンテナエレメントと前記給電手段との間隔とされる前記給電部の長さが約６０ｍｍ以上とされることを特徴とする請求項１記載のアンテナ。
【請求項３】
前記テーパ部の角度が約４０°以上とされることを特徴とする請求項１記載のアンテナ。
【発明の詳細な説明】
【技術分野】
【０００１】
本発明は、列車や車両等の窓ガラスに固着することのできる平面状のアンテナに関し、特に業務無線用のアンテナに関する。
【背景技術】
【０００２】
列車や車両に取り付けられても車体から突出することのないアンテナとして、車両の窓ガラスに貼着することのできるフィルムアンテナが知られている。従来のフィルムアンテナの構成の一例を図４２に示す。図４２に示すフィルムアンテナ１００は、矩形のループアンテナ１０１を備えており、このループアンテナ１０１は矩形状の透明のフィルム１１４上に形成された矩形状のループエレメント１１０により構成されている。このループエレメント１１０における短辺の一つから延伸している平行２線からなる給電部１１１が、フィルムアンテナ１００に形成されている。この給電部１１１は、フィルムアンテナ１００から突出されて端子部１１５が形成されている。この端子部１１５は給電箱１１２内に導入されており、給電箱１１２からは受信機へ導かれる同軸ケーブル等のケーブル１１３が導出されている。フィルムアンテナ１００は窓ガラスに貼着されて固着されることから、視界を妨げないようにフィルム１１４は透明度の高い樹脂フィルムとされると共に、ループエレメント１１０の導線の径は極力細くされている。
【０００３】
このような構成のフィルムアンテナ１００が窓ガラスに取り付けられた際の構成の一例を示す斜視図を図４３に示す。図４３において図示しない窓ガラス上にフィルムアンテナ１００は貼着されており、給電箱１１２は窓ガラスが取り付けられている金属フレーム２１上に固着される。金属フレーム２１は車体の一部である。この場合、フィルムアンテナ１００および給電箱１１２は窓ガラスおよび金属フレーム２１の車内側の面に固着される。このように給電箱１１２は車内側に露出して固着されることから極力小型にすることが求められ、小型化される結果フィルムアンテナ１００における端子部１１５の幅も狭いものとされる。このため、給電部１１１における平行２線の間隔は数ｍｍの狭い間隔とされる。
【特許文献１】特開２００４−１０４６９６号公報
【特許文献２】特開平１０−３０８６２０号公報
【発明の開示】
【発明が解決しようとする課題】
【０００４】
従来のフィルムアンテナ１００において、ループエレメント１１０の給電箱１１２側の短辺と給電箱１１２との間隔Ｄを約３０ｍｍとした際のフィルムアンテナ１００の単体の電気的特性を図４４および図４５に示す。この場合、フィルムアンテナ１００の使用周波数は３７４ＭＨｚとされる。図４４は、電圧定在波比（ＶＳＷＲ）の周波数特性を示すグラフであり、使用周波数３７４ＭＨｚにおいてＶＳＷＲは約１．６５７の良好な特性が得られている。また、図４５はインピーダンスの周波数特性を示すスミスチャートであり、使用周波数３７４ＭＨｚにおいて正規化されたインピーダンスの「１」に近いほぼ整合したインピーダンスが得られている。
このように、間隔Ｄを約３０ｍｍとして良好な電気的特性を示すフィルムアンテナ１００を図４３に示すように金属フレーム２１に取り付けられている窓ガラスに固着した際の電気的特性を図４６および図４７に示す。ＶＳＷＲの周波数特性を示す図４６を参照すると、使用周波数３７４ＭＨｚにおいてＶＳＷＲは約３．２９７に劣化していることがわかる。また、インピーダンスの周波数特性を示す図４７のスミスチャートを参照すると、使用周波数３７４ＭＨｚにおいて正規化されたインピーダンスの「１」から遠くなり、インピーダンスが不整合状態になっていることがわかる。
【０００５】
次に、従来のフィルムアンテナ１００において間隔Ｄを約６０ｍｍとした際のフィルムアンテナ１００の単体の電気的特性を図４８および図４９に示す。ＶＳＷＲの周波数特性を示す図４８を参照すると、使用周波数３７４ＭＨｚにおいてＶＳＷＲは約４．２４４の良好でないＶＳＷＲとなっている。また、インピーダンスの周波数特性を示す図４９のスミスチャートを参照すると、使用周波数３７４ＭＨｚにおいて正規化されたインピーダンスの「１」から遠い位置にあり、インピーダンスは不整合状態になっている。これは、間隔の狭い給電部１１１が約６０ｍｍと長くされたことに起因している。
このように、間隔Ｄを約６０ｍｍとして良好でない電気的特性を示すフィルムアンテナ１００を図４３に示すように金属フレーム２１に取り付けられている窓ガラスに固着した際の電気的特性を図５０および図５１に示す。ＶＳＷＲの周波数特性を示す図５０を参照すると、使用周波数３７４ＭＨｚにおいてＶＳＷＲは約４．４０４と若干劣化しているに過ぎないことがわかる。また、インピーダンスの周波数特性を示す図５１のスミスチャートを参照すると、使用周波数３７４ＭＨｚにおいて取り付けられていないフィルムアンテナ単体のインピーダンスとほぼ同様のインピーダンスとなっていることがわかる。
【０００６】
このように、従来のフィルムアンテナ１００においては、ループエレメント１１０の給電箱１１２側の短辺と給電箱１１２との間隔Ｄを約３０ｍｍとすると良好な電気的特性が得られるものの、フィルムアンテナ１００を取り付けた際に間隔Ｄが３０ｍｍと短くされているため金属フレーム２１の影響を受けてフィルムアンテナ１００の電気的特性が劣化するという問題点があった。そこで、間隔Ｄを６０ｍｍと長くすると、フィルムアンテナ１００を取り付けた際に金属フレーム２１の影響が少なくなり電気的特性はあまり劣化しないものの、間隔Ｄを６０ｍｍと長くしたためにフィルムアンテナ１００の単体における電気的特性が不良になるという問題点があった。
【０００７】
そこで、本発明は取り付ける前のアンテナ単体の電気的特性が良好であると共に、アンテナを導電体に接している絶縁体上に固着してもアンテナの電気的特性が劣化することを防止することのできるアンテナを提供することを目的としている。
【課題を解決するための手段】
【０００８】
上記目的を達成するために、本発明のアンテナは、テーパ部を有する給電部を備えていることを最も主要な特徴としている。
【発明の効果】
【０００９】
本発明によれば、テーパ部を有する給電部を備えていることから、給電部の長さを長くしてもアンテナ単体の電気的特性が良好になる。また、給電部の長さを長くすることができることからアンテナを固着した際に導電体の影響を受けにくくなりアンテナの電気的特性が劣化することを極力防止することができる。
【発明を実施するための最良の形態】
【００１０】
本発明の実施例のアンテナであるフィルムアンテナの構成を図１に示す。
図１に示すフィルムアンテナ１は列車や車両の窓ガラスに貼着されて固着されるアンテナとされている。フィルムアンテナ１は、矩形のループアンテナ２を備えており、このループアンテナ２は矩形状の透明のフィルム１５上に形成された矩形状のループエレメント１０により構成されている。ループエレメント１０のループ長は、使用周波数の約１波長の長さとされており、このループエレメント１０における短辺の一つから次第に幅が狭くされるテーパ部１１が延伸されている。テーパ部１１に続いて平行２線からなる狭幅部１２が形成されている。このテーパ部１１と狭幅部１２とによりフィルムアンテナ１の給電部が構成されている。狭幅部１２の幅は数ｍｍ（典型的には約２ｍｍ）とされ、フィルムアンテナ１から突出されて端子部１６が形成されている。この端子部１６は給電箱１３内に導入されており、給電箱１３からは受信機へ導かれる同軸ケーブル等のケーブル１４が導出されている。
【００１１】
給電箱１３の内部には基板が設けられ、基板にはケーブル１４が同軸ケーブルとされた際に平衡−不平衡変換器が設けられる。フィルムアンテナ１は窓ガラスに貼着されて固着されることから、視界を妨げないようにフィルム１５は透明度の高い樹脂フィルムとされると共に、ループエレメント１０の径あるいは幅は極力細くされている。さらに視界を良好にするため、ループエレメント１０の内側の形状に沿ってフィルム１５はくり抜かれている。ループエレメント１０は、フィルム１５上に細い径の導線を設けたり、導電塗料の塗布や蒸着により幅の狭い導電体を設けることにより形成されている。
ループアンテナ２の構成のみを図２に示す。図２に示すように、ループアンテナ２を構成しているループエレメント１０の短辺の一つに形成されているテーパ部１１の角度はθとされ、ループエレメント１０の給電箱１３側の短辺と給電箱１３との間隔がＬ、狭幅部１２の長さがＬａとされる。代表的には、角度θは約８０°、間隔Ｌは約６０ｍｍ、長さＬａは約２５ｍｍとされる。ただし、この値に特定されるものではない。
【００１２】
このような構成のフィルムアンテナ１が金属フレーム２１で囲まれた窓ガラス２０に貼着されて取り付けられた状態の一例を図３に示し、この構成においてフィルムアンテナ１のほぼ中央で切断した断面図を図４に示し、取り付けられた状態を示す斜視図を図５に示す。ただし、図５においては窓ガラス２０および金属フレーム２１の一部を省略して示している。
これらの図に示すように金属フレーム２１に固着された窓ガラス２０にフィルムアンテナ１は貼着されており、給電箱１３は窓ガラス２０が取り付けられている金属フレーム２１上に固着される。なお、金属フレーム２１は車体の一部である。この場合、フィルムアンテナ１および給電箱１３は窓ガラス２０および金属フレーム２１の車内側の面に固着される。このように給電箱１３は車内側に露出して固着されることから極力小型にすることが求められ、小型化される結果フィルムアンテナ１における狭幅部１２の幅も狭いものとされる。このため、狭幅部１２における平行２線の間隔は数ｍｍの狭い間隔とされる。また、給電箱１３は金属フレーム２１と窓ガラス２０との境界に固着されて、フィルムアンテナ１が極力金属フレーム２１から離隔されてその影響を受けないようにしている。
【００１３】
本発明にかかるフィルムアンテナ１において、間隔Ｌを約６０ｍｍ、長さＬａを約２５ｍｍ、テーパ部１１の角度θを約８０°とした際のフィルムアンテナ１の単体の電気的特性を図６および図７に示す。この場合、フィルムアンテナ１の使用周波数は３７４ＭＨｚとされる。図６は電圧定在波比（ＶＳＷＲ）の周波数特性を示すグラフであり、使用周波数３７４ＭＨｚにおいてＶＳＷＲは約１．４６３の良好な特性が得られている。また、図７はインピーダンスの周波数特性を示すスミスチャートであり、使用周波数３７４ＭＨｚにおいて正規化されたインピーダンスの「１」に近いほぼ整合したインピーダンスが得られている。このように、本発明のフィルムアンテナ１においては間隔Ｌを６０ｍｍとしても給電部にテーパ部１１を設けることにより、フィルムアンテナ１単体の電気的特性を良好にすることができる。
【００１４】
上記したように、間隔Ｌを約６０ｍｍ、長さＬａを約２５ｍｍ、テーパ部１１の角度θを約８０°として良好な電気的特性を示すフィルムアンテナ１を図３に示すように金属フレーム２１に取り付けられている窓ガラス２０に貼着して固着した際の電気的特性を図８および図９に示す。ＶＳＷＲの周波数特性を示す図８を参照すると、使用周波数３７４ＭＨｚにおいてＶＳＷＲは約１．８１９と良好なＶＳＷＲが得られていることがわかる。また、インピーダンスの周波数特性を示す図９のスミスチャートを参照すると、使用周波数３７４ＭＨｚにおいて正規化されたインピーダンスの「１」に近いほぼ整合したインピーダンスが得られていることがわかる。このように、本発明のフィルムアンテナ１においては給電部にテーパ部１１を設けることにより、電気的特性の劣化を極力防止することができる。
【００１５】
本発明にかかるフィルムアンテナ１において間隔Ｌを約６０ｍｍ、長さＬａを約２５ｍｍ、テーパ部１１の角度θを約８０°とすると、フィルムアンテナ１単体と、フィルムアンテナ１を取り付けた際に良好な電気的特性が得られる。次に、間隔Ｌ、長さＬａ、テーパ部１１の角度θを種々の値に設定した際の電気的特性を以下に示す。
まず、本発明にかかるフィルムアンテナ１において、間隔Ｌを約６０ｍｍ、長さＬａを約３０ｍｍ、テーパ部１１の角度θを約１００°とした際のフィルムアンテナ１の単体の電気的特性を図１０および図１１に示す。この場合、フィルムアンテナ１の使用周波数は３７４ＭＨｚとされる。ＶＳＷＲの周波数特性を示す図１０を参照すると、使用周波数３７４ＭＨｚにおいてＶＳＷＲは約１．５５２と良好なＶＳＷＲが得られていることがわかる。また、インピーダンスの周波数特性を示す図１１のスミスチャートを参照すると、使用周波数３７４ＭＨｚにおいて正規化されたインピーダンスの「１」に近いほぼ整合したインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図１２および図１３に示す。ＶＳＷＲの周波数特性を示す図１２を参照すると、使用周波数３７４ＭＨｚにおいてＶＳＷＲは約２．１９２と若干ＶＳＷＲが劣化していることがわかる。また、インピーダンスの周波数特性を示す図１３のスミスチャートを参照すると、使用周波数３７４ＭＨｚにおいて正規化されたインピーダンスの「１」から若干遠くなり、やや不整合となるインピーダンスになっていることがわかる。
【００１６】
次に、本発明にかかるフィルムアンテナ１において、間隔Ｌを約６０ｍｍ、長さＬａを約３０ｍｍ、テーパ部１１の角度θを約８０°とした際のフィルムアンテナ１の単体の電気的特性を図１４および図１５に示す。この場合、フィルムアンテナ１の使用周波数は３７４ＭＨｚとされる。ＶＳＷＲの周波数特性を示す図１４を参照すると、使用周波数３７４ＭＨｚにおいてＶＳＷＲは約１．５７６と良好なＶＳＷＲが得られていることがわかる。また、インピーダンスの周波数特性を示す図１５のスミスチャートを参照すると、使用周波数３７４ＭＨｚにおいて正規化されたインピーダンスの「１」に近いほぼ整合したインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図１６および図１７に示す。ＶＳＷＲの周波数特性を示す図１６を参照すると、使用周波数３７４ＭＨｚにおいてＶＳＷＲは約１．９８７と若干劣化するが良好なＶＳＷＲが得られていることがわかる。また、インピーダンスの周波数特性を示す図１７のスミスチャートを参照すると、使用周波数３７４ＭＨｚにおいて正規化されたインピーダンスの「１」から若干遠くなるがほぼ整合したインピーダンスになっていることがわかる。
【００１７】
次に、本発明にかかるフィルムアンテナ１において、間隔Ｌを約６０ｍｍ、長さＬａを約３０ｍｍ、テーパ部１１の角度θを約６０°とした際のフィルムアンテナ１の単体の電気的特性を図１８および図１９に示す。この場合、フィルムアンテナ１の使用周波数は３７４ＭＨｚとされる。ＶＳＷＲの周波数特性を示す図１８を参照すると、使用周波数３７４ＭＨｚにおいてＶＳＷＲは約１．９６４とやや良好なＶＳＷＲが得られていることがわかる。また、インピーダンスの周波数特性を示す図１９のスミスチャートを参照すると、使用周波数３７４ＭＨｚにおいて正規化されたインピーダンスの「１」から若干遠くに位置し、やや不整合となるインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図２０および図２１に示す。ＶＳＷＲの周波数特性を示す図２０を参照すると、使用周波数３７４ＭＨｚにおいてＶＳＷＲは約２．５６３と若干劣化したＶＳＷＲとなることがわかる。また、インピーダンスの周波数特性を示す図２１のスミスチャートを参照すると、使用周波数３７４ＭＨｚにおいて正規化されたインピーダンスの「１」からより遠くなりやや不整合となるインピーダンスになっていることがわかる。
【００１８】
次に、本発明にかかるフィルムアンテナ１において、間隔Ｌを約６０ｍｍ、長さＬａを０ｍｍ、テーパ部１１の角度θを約１００°とした際のフィルムアンテナ１の単体の電気的特性を図２２および図２３に示す。長さＬａが０ｍｍとは、狭幅部１２を設けることなくテーパ部１１のみで給電部を構成していることを意味している。この場合、フィルムアンテナ１の使用周波数は３７４ＭＨｚとされる。
ＶＳＷＲの周波数特性を示す図２２を参照すると、使用周波数３７４ＭＨｚにおいてＶＳＷＲは約１．３７８と非常に良好なＶＳＷＲが得られていることがわかる。また、インピーダンスの周波数特性を示す図２３のスミスチャートを参照すると、使用周波数３７４ＭＨｚにおいて正規化されたインピーダンスの「１」に近い整合しているインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図２４および図２５に示す。ＶＳＷＲの周波数特性を示す図２４を参照すると、使用周波数３７４ＭＨｚにおいてＶＳＷＲは約１．９３３と若干劣化するが良好なＶＳＷＲとなることがわかる。また、インピーダンスの周波数特性を示す図２５のスミスチャートを参照すると、使用周波数３７４ＭＨｚにおいて正規化されたインピーダンスの「１」からやや遠くなるが、ほぼ整合しているインピーダンスになっていることがわかる。
【００１９】
次に、本発明にかかるフィルムアンテナ１において、間隔Ｌを約６０ｍｍ、長さＬａを０ｍｍ、テーパ部１１の角度θを約８０°とした際のフィルムアンテナ１の単体の電気的特性を図２６および図２７に示す。この場合、フィルムアンテナ１の使用周波数は３７４ＭＨｚとされる。ＶＳＷＲの周波数特性を示す図２６を参照すると、使用周波数３７４ＭＨｚにおいてＶＳＷＲは約１．３５６と非常に良好なＶＳＷＲが得られていることがわかる。また、インピーダンスの周波数特性を示す図２７のスミスチャートを参照すると、使用周波数３７４ＭＨｚにおいて正規化されたインピーダンスの「１」に近い整合しているインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図２８および図２９に示す。ＶＳＷＲの周波数特性を示す図２８を参照すると、使用周波数３７４ＭＨｚにおいてＶＳＷＲは約１．９７４と若干劣化するが良好なＶＳＷＲとなることがわかる。また、インピーダンスの周波数特性を示す図２９のスミスチャートを参照すると、使用周波数３７４ＭＨｚにおいて正規化されたインピーダンスの「１」からやや遠くなるが、ほぼ整合しているインピーダンスになっていることがわかる。
【００２０】
次に、本発明にかかるフィルムアンテナ１において、間隔Ｌを約６０ｍｍ、長さＬａを０ｍｍ、テーパ部１１の角度θを約６０°とした際のフィルムアンテナ１の単体の電気的特性を図３０および図３１に示す。この場合、フィルムアンテナ１の使用周波数は３７４ＭＨｚとされる。ＶＳＷＲの周波数特性を示す図３０を参照すると、使用周波数３７４ＭＨｚにおいてＶＳＷＲは約１．４３４と良好なＶＳＷＲが得られていることがわかる。また、インピーダンスの周波数特性を示す図３１のスミスチャートを参照すると、使用周波数３７４ＭＨｚにおいて正規化されたインピーダンスの「１」に近いほぼ整合しているインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図３２および図３３に示す。ＶＳＷＲの周波数特性を示す図３２を参照すると、使用周波数３７４ＭＨｚにおいてＶＳＷＲは約２．０６１と若干劣化してやや良好なＶＳＷＲとなることがわかる。また、インピーダンスの周波数特性を示す図３３のスミスチャートを参照すると、使用周波数３７４ＭＨｚにおいて正規化されたインピーダンスの「１」からやや遠くなるが、ほぼ整合しているインピーダンスになっていることがわかる。
【００２１】
次に、本発明にかかるフィルムアンテナ１において、間隔Ｌを約６０ｍｍ、長さＬａを０ｍｍ、テーパ部１１の角度θを約４０°とした際のフィルムアンテナ１の単体の電気的特性を図３４および図３５に示す。この場合、フィルムアンテナ１の使用周波数は３７４ＭＨｚとされる。ＶＳＷＲの周波数特性を示す図３４を参照すると、使用周波数３７４ＭＨｚにおいてＶＳＷＲは約１．５６１と良好なＶＳＷＲが得られていることがわかる。また、インピーダンスの周波数特性を示す図３５のスミスチャートを参照すると、使用周波数３７４ＭＨｚにおいて正規化されたインピーダンスの「１」に近いほぼ整合しているインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図３６および図３７に示す。ＶＳＷＲの周波数特性を示す図３６を参照すると、使用周波数３７４ＭＨｚにおいてＶＳＷＲは約２．１６２と若干劣化したＶＳＷＲとなることがわかる。また、インピーダンスの周波数特性を示す図３７のスミスチャートを参照すると、使用周波数３７４ＭＨｚにおいて正規化されたインピーダンスの「１」から若干遠くなりやや不整合のインピーダンスになっていることがわかる。
【００２２】
次に、本発明にかかるフィルムアンテナ１において、間隔Ｌを約６０ｍｍ、長さＬａを０ｍｍ、テーパ部１１の角度θを約２０°とした際のフィルムアンテナ１の単体の電気的特性を図３８および図３９に示す。この場合、フィルムアンテナ１の使用周波数は３７４ＭＨｚとされる。ＶＳＷＲの周波数特性を示す図３８を参照すると、使用周波数３７４ＭＨｚにおいてＶＳＷＲは約１．９４５とやや良好なＶＳＷＲが得られていることがわかる。また、インピーダンスの周波数特性を示す図３９のスミスチャートを参照すると、使用周波数３７４ＭＨｚにおいて正規化されたインピーダンスの「１」に若干近いやや整合しているインピーダンスが得られていることがわかる。
このように間隔、長さおよび角度を設定したフィルムアンテナ１を図３に示すように金属フレーム２１に取り付けられている窓ガラス２０に貼着して固着した際の電気的特性を図４０および図４１に示す。ＶＳＷＲの周波数特性を示す図４０を参照すると、使用周波数３７４ＭＨｚにおいてＶＳＷＲは約２．４８８と若干劣化していることがわかる。また、インピーダンスの周波数特性を示す図４１のスミスチャートを参照すると、使用周波数３７４ＭＨｚにおいて正規化されたインピーダンスの「１」からより遠くなりやや不整合のインピーダンスになっていることがわかる。
【００２３】
上記に示した図６ないし図４１に示すフィルムアンテナ１の電気的特性を参照すると、ループエレメント１０の給電箱１３側の短辺と給電箱１３との間隔Ｌは約６０ｍｍとすれば、金属フレーム２１の影響を排除するに十分な間隔であることがわかる。また、給電部は長さＬａを短くして典型的には狭幅部１２を無くしてテーパ部１１のみとした方が良好な電気的特性を得られることがわかる。さらに、テーパ部１１の角度θは約４０°以上とするのが好適であり、角度θは大きくした方が電気的特性が良好になることがわかる。
また、テーパ部１１を設けるようにしてもフィルムアンテナ１の指向特性には影響を与えないことが確認されている。
【産業上の利用可能性】
【００２４】
以上説明したフィルムアンテナにおいて、ループエレメントはフィルム上に銀ペースト等の導電性ペーストを印刷し、導電性ペーストの乾燥および焼結を行い、導電性ペーストを保護するようレジストを導電性ペースト上に印刷することにより形成されている。あるいは、直径が数１００μｍ以下の細い金属細線をフィルム上に設けることによりループエレメントが形成される。この場合の金属細線の素材は真鍮、銅、タングステン、アルミニウム、鉄等とされる。また、フィルムはポリエチレンテレフタレート（ＰＥＴ）、ポリイミド、ポリカーボネイト、ポリエチレンナフタレート等の透明樹脂のフィルムとされる。
【図面の簡単な説明】
【００２５】
【図１】本発明の実施例のアンテナであるフィルムアンテナの構成を示す図である。
【図２】本発明の実施例にかかるフィルムアンテナにおけるループアンテナの構成を示す図である。
【図３】本発明の実施例にかかるフィルムアンテナを窓ガラスに取り付けた状態を示す平面図である。
【図４】本発明の実施例にかかるフィルムアンテナを窓ガラスに取り付けた状態を示す断面図である。
【図５】本発明の実施例にかかるフィルムアンテナを窓ガラスに取り付けた状態を示す斜視図である。
【図６】本発明の実施例にかかるフィルムアンテナ単体のＶＳＷＲの周波数特性の一例を示すグラフである。
【図７】本発明の実施例にかかるフィルムアンテナ単体のインピーダンスの周波数特性を示すスミスチャートの一例である。
【図８】本発明の実施例にかかるフィルムアンテナ取付時のＶＳＷＲの周波数特性の一例を示すグラフである。
【図９】本発明の実施例にかかるフィルムアンテナ取付時のインピーダンスの周波数特性を示すスミスチャートの一例である。
【図１０】本発明の実施例にかかるフィルムアンテナ単体のＶＳＷＲの周波数特性の他の例を示すグラフである。
【図１１】本発明の実施例にかかるフィルムアンテナ単体のインピーダンスの周波数特性を示すスミスチャートの他の例である。
【図１２】本発明の実施例にかかるフィルムアンテナ取付時のＶＳＷＲの周波数特性の他の例を示すグラフである。
【図１３】本発明の実施例にかかるフィルムアンテナ取付時のインピーダンスの周波数特性を示すスミスチャートの他の例である。
【図１４】本発明の実施例にかかるフィルムアンテナ単体のＶＳＷＲの周波数特性のさらに他の例を示すグラフである。
【図１５】本発明の実施例にかかるフィルムアンテナ単体のインピーダンスの周波数特性を示すスミスチャートのさらに他の例である。
【図１６】本発明の実施例にかかるフィルムアンテナ取付時のＶＳＷＲの周波数特性のさらに他の例を示すグラフである。
【図１７】本発明の実施例にかかるフィルムアンテナ取付時のインピーダンスの周波数特性を示すスミスチャートのさらに他の例である。
【図１８】本発明の実施例にかかるフィルムアンテナ単体のＶＳＷＲの周波数特性のさらに他の例を示すグラフである。
【図１９】本発明の実施例にかかるフィルムアンテナ単体のインピーダンスの周波数特性を示すスミスチャートのさらに他の例である。
【図２０】本発明の実施例にかかるフィルムアンテナ取付時のＶＳＷＲの周波数特性のさらに他の例を示すグラフである。
【図２１】本発明の実施例にかかるフィルムアンテナ取付時のインピーダンスの周波数特性を示すスミスチャートのさらに他の例である。
【図２２】本発明の実施例にかかるフィルムアンテナ単体のＶＳＷＲの周波数特性のさらに他の例を示すグラフである。
【図２３】本発明の実施例にかかるフィルムアンテナ単体のインピーダンスの周波数特性を示すスミスチャートのさらに他の例である。
【図２４】本発明の実施例にかかるフィルムアンテナ取付時のＶＳＷＲの周波数特性のさらに他の例を示すグラフである。
【図２５】本発明の実施例にかかるフィルムアンテナ取付時のインピーダンスの周波数特性を示すスミスチャートのさらに他の例である。
【図２６】本発明の実施例にかかるフィルムアンテナ単体のＶＳＷＲの周波数特性のさらに他の例を示すグラフである。
【図２７】本発明の実施例にかかるフィルムアンテナ単体のインピーダンスの周波数特性を示すスミスチャートのさらに他の例である。
【図２８】本発明の実施例にかかるフィルムアンテナ取付時のＶＳＷＲの周波数特性のさらに他の例を示すグラフである。
【図２９】本発明の実施例にかかるフィルムアンテナ取付時のインピーダンスの周波数特性を示すスミスチャートのさらに他の例である。
【図３０】本発明の実施例にかかるフィルムアンテナ単体のＶＳＷＲの周波数特性のさらに他の例を示すグラフである。
【図３１】本発明の実施例にかかるフィルムアンテナ単体のインピーダンスの周波数特性を示すスミスチャートのさらに他の例である。
【図３２】本発明の実施例にかかるフィルムアンテナ取付時のＶＳＷＲの周波数特性のさらに他の例を示すグラフである。
【図３３】本発明の実施例にかかるフィルムアンテナ取付時のインピーダンスの周波数特性を示すスミスチャートのさらに他の例である。
【図３４】本発明の実施例にかかるフィルムアンテナ単体のＶＳＷＲの周波数特性のさらに他の例を示すグラフである。
【図３５】本発明の実施例にかかるフィルムアンテナ単体のインピーダンスの周波数特性を示すスミスチャートのさらに他の例である。
【図３６】本発明の実施例にかかるフィルムアンテナ取付時のＶＳＷＲの周波数特性のさらに他の例を示すグラフである。
【図３７】本発明の実施例にかかるフィルムアンテナ取付時のインピーダンスの周波数特性を示すスミスチャートのさらに他の例である。
【図３８】本発明の実施例にかかるフィルムアンテナ単体のＶＳＷＲの周波数特性のさらに他の例を示すグラフである。
【図３９】本発明の実施例にかかるフィルムアンテナ単体のインピーダンスの周波数特性を示すスミスチャートのさらに他の例である。
【図４０】本発明の実施例にかかるフィルムアンテナ取付時のＶＳＷＲの周波数特性のさらに他の例を示すグラフである。
【図４１】本発明の実施例にかかるフィルムアンテナ取付時のインピーダンスの周波数特性を示すスミスチャートのさらに他の例である。
【図４２】従来のフィルムアンテナの構成を示す図である。
【図４３】従来のフィルムアンテナを取り付けた状態を示す斜視図である。
【図４４】従来のフィルムアンテナ単体のＶＳＷＲの周波数特性の一例を示すグラフである。
【図４５】従来のフィルムアンテナ単体のインピーダンスの周波数特性を示すスミスチャートの一例である。
【図４６】従来のフィルムアンテナ取付時のＶＳＷＲの周波数特性の一例を示すグラフである。
【図４７】従来のフィルムアンテナ取付時のインピーダンスの周波数特性を示すスミスチャートの一例である。
【図４８】従来のフィルムアンテナ単体のＶＳＷＲの周波数特性の他の例を示すグラフである。
【図４９】従来のフィルムアンテナ単体のインピーダンスの周波数特性を示すスミスチャートの他の例である。
【図５０】従来のフィルムアンテナ取付時のＶＳＷＲの周波数特性の他の例を示すグラフである。
【図５１】従来のフィルムアンテナ取付時のインピーダンスの周波数特性を示すスミスチャートの他の例である。
【符号の説明】
【００２６】
１  フィルムアンテナ、２  ループアンテナ、１０  ループエレメント、１１  テーパ部、１２  狭幅部、１３  給電箱、１４  ケーブル、１５  フィルム、１６  端子部、２０  窓ガラス、２１  金属フレーム、１００  フィルムアンテナ、１０１  ループアンテナ、１１０  ループエレメント、１１１  給電部、１１２  給電箱、１１３  ケーブル、１１４  フィルム、１１５  端子部
【図１】
0004632932.tif 000002
【図２】
0004632932.tif 000003
【図３】
0004632932.tif 000004
【図４】
0004632932.tif 000005
【図５】
0004632932.tif 000006
【図６】
0004632932.tif 000007
【図７】
0004632932.tif 000008
【図８】
0004632932.tif 000009
【図９】
0004632932.tif 000010
【図１０】
0004632932.tif 000011
【図１１】
0004632932.tif 000012
【図１２】
0004632932.tif 000013
【図１３】
0004632932.tif 000014
【図１４】
0004632932.tif 000015
【図１５】
0004632932.tif 000016
【図１６】
0004632932.tif 000017
【図１７】
0004632932.tif 000018
【図１８】
0004632932.tif 000019
【図１９】
0004632932.tif 000020
【図２０】
0004632932.tif 000021
【図２１】
0004632932.tif 000022
【図２２】
0004632932.tif 000023
【図２３】
0004632932.tif 000024
【図２４】
0004632932.tif 000025
【図２５】
0004632932.tif 000026
【図２６】
0004632932.tif 000027
【図２７】
0004632932.tif 000028
【図２８】
0004632932.tif 000029
【図２９】
0004632932.tif 000030
【図３０】
0004632932.tif 000031
【図３１】
0004632932.tif 000032
【図３２】
0004632932.tif 000033
【図３３】
0004632932.tif 000034
【図３４】
0004632932.tif 000035
【図３５】
0004632932.tif 000036
【図３６】
0004632932.tif 000037
【図３７】
0004632932.tif 000038
【図３８】
0004632932.tif 000039
【図３９】
0004632932.tif 000040
【図４０】
0004632932.tif 000041
【図４１】
0004632932.tif 000042
【図４２】
0004632932.tif 000043
【図４３】
0004632932.tif 000044
【図４４】
0004632932.tif 000045
【図４５】
0004632932.tif 000046
【図４６】
0004632932.tif 000047
【図４７】
0004632932.tif 000048
【図４８】
0004632932.tif 000049
【図４９】
0004632932.tif 000050
【図５０】
0004632932.tif 000051
【図５１】
0004632932.tif 000052